【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
撮像に関する第１の撮像パラメータを設定するための第１の設定画像と、
撮像に関する第２の撮像パラメータを設定するための第２の設定画像と、
を表示部に表示させる制御部を備え、
前記第１の撮像パラメータの各パラメータには、予め所定の前記第２の撮像パラメータが対応付けられ、
前記制御部は、
前記第１の設定画像が前記表示部に表示されている際に第１の撮像パラメータが選択されると、前記第２の設定画像を、前記選択された該第１の撮像パラメータに対応する第２の撮像パラメータから変更可能な態様で前記表示部に表示させる、
情報処理装置。
【請求項２】
前記制御部は、
前記第１の設定画像が前記表示部に表示されている際に第１の撮像パラメータが選択されると、前記第１の設定画像に対して回転および変形のうち少なくとも一方を実行して前記表示部に表示させると共に、前記第２の設定画像を、所定方向の入力操作に応じて前記第２の撮像パラメータを変更可能に前記表示部に表示させる、
請求項１に記載の情報処理装置。
【請求項３】
前記制御部は、
前記第１の設定画像に対して、４５°の前記回転と、垂直方向に対する縮小による前記変形と、を実行して前記表示部に表示させ、
前記第２の設定画像を、垂直方向の入力操作に応じて前記第２の撮像パラメータを変更可能に前記表示部に表示させる、
請求項２に記載の情報処理装置。
【請求項４】
前記制御部は、
前記第１の設定画像が前記表示部に表示されている際に第１の撮像パラメータが選択されると、輝度のグラデーションを付与した画像を前記第２の設定画像として前記表示部に表示させ、入力操作に応じて、前記第２の撮像パラメータを変更すると共に該グラデーションの全体を移動させる、
請求項１に記載の情報処理装置。
【請求項５】
前記制御部は、
前記第２の設定画像を前記第１の設定画像に対して前記グラデーションを付与することで構成する、
請求項４に記載の情報処理装置。
【請求項６】
前記制御部は、
前記第２の設定画像を、該第１の設定画像の背景画像として該第１の設定画像に対して透過させて前記表示部に表示させる、
請求項４に記載の情報処理装置。
【請求項７】
前記制御部は、
前記第２の撮像パラメータを調整するための方向および調整量を示すインジケータを前記背景画像に対してさらに表示させる、
請求項６に記載の情報処理装置。
【請求項８】
前記制御部は、
前記グラデーションの方向に沿った前記入力操作に応じて前記第２の撮像パラメータを変更する、
請求項４乃至請求項７の何れか１項に記載の情報処理装置。
【請求項９】
前記制御部は、
前記第１の設定画像が前記表示部に表示されている際に第１の撮像パラメータが選択されると、前記表示部に表示される前記第１の設定画像および前記第２の設定画像以外の、撮像に関するパラメータを設定するための設定画像を消失させる、
請求項４乃至請求項８の何れか１項に記載の情報処理装置。
【請求項１０】
前記第１の設定画像は、シャッタ速度と絞り値とを一括で設定するためのｘｙ平面画像である、
請求項１乃至請求項９の何れか１項に記載の情報処理装置。
【請求項１１】
前記第２の設定画像は、ＩＳＯ値を設定するための画像である、
請求項１乃至請求項１０の何れか１項に記載の情報処理装置。
【請求項１２】
制御部が、
撮像に関する第１の撮像パラメータを設定するための第１の設定画像と、
撮像に関する第２の撮像パラメータを設定するための第２の設定画像と、
を表示部に表示させる制御ステップを有し、
前記第１の撮像パラメータの各パラメータには、予め所定の前記第２の撮像パラメータが対応付けられ、
前記制御ステップは、
前記第１の設定画像が前記表示部に表示されている際に第１の撮像パラメータが選択されると、前記第２の設定画像を、前記選択された該第１の撮像パラメータに対応する第２の撮像パラメータから変更可能な態様で前記表示部に表示させる、
情報処理方法。
【請求項１３】
コンピュータに、
撮像に関する第１の撮像パラメータを設定するための第１の設定画像と、
撮像に関する第２の撮像パラメータを設定するための第２の設定画像と、
を表示部に表示させる制御ステップを実行させ、
前記第１の撮像パラメータの各パラメータには、予め所定の前記第２の撮像パラメータが対応付けられ、
前記制御ステップは、
前記第１の設定画像が前記表示部に表示されている際に第１の撮像パラメータが選択されると、前記第２の設定画像を、前記選択された該第１の撮像パラメータに対応する第２の撮像パラメータから変更可能な態様で前記表示部に表示させる、
ためのプログラム。
【請求項１４】
互いに通信可能な撮像装置および情報処理装置を含み、
前記情報処理装置は、
前記撮像装置に対して撮像に関する第１の撮像パラメータを設定するための第１の設定画像と、
前記撮像装置に対して撮像に関する第２の撮像パラメータを設定するための第２の設定画像と、
を表示部に表示させる制御部を備え、
前記第１の撮像パラメータの各パラメータには、予め所定の前記第２の撮像パラメータが対応付けられ、
前記制御部は、
前記第１の設定画像が前記表示部に表示されている際に第１の撮像パラメータが選択されると、前記第２の設定画像を、前記選択された該第１の撮像パラメータに対応する第２の撮像パラメータから変更可能な態様で前記表示部に表示させる、
情報処理システム。
【手続補正２】
【補正対象書類名】明細書
【補正対象項目名】０００６
【補正方法】変更
【補正の内容】
【０００６】
本開示によれば、撮像に関する第１の撮像パラメータを設定するための第１の設定画像と、撮像に関する第２の撮像パラメータを設定するための第２の設定画像と、を表示部に表示させる制御部を備え、前記第１の撮像パラメータの各パラメータには、予め所定の前記第２の撮像パラメータが対応付けられ、前記制御部は、前記第１の設定画像が前記表示部に表示されている際に第１の撮像パラメータが選択されると、前記第２の設定画像を、前記選択された該第１の撮像パラメータに対応する第２の撮像パラメータから変更可能な態様で前記表示部に表示させる、情報処理装置が提供される。
【手続補正３】
【補正対象書類名】明細書
【補正対象項目名】０００７
【補正方法】変更
【補正の内容】
【０００７】
本開示によれば、制御部が、撮像に関する第１の撮像パラメータを設定するための第１の設定画像と、撮像に関する第２の撮像パラメータを設定するための第２の設定画像と、を表示部に表示させる制御ステップを有し、前記第１の撮像パラメータの各パラメータには、予め所定の前記第２の撮像パラメータが対応付けられ、前記制御ステップは、前記第１の設定画像が前記表示部に表示されている際に第１の撮像パラメータが選択されると、前記第２の設定画像を、前記選択された該第１の撮像パラメータに対応する第２の撮像パラメータから変更可能な態様で前記表示部に表示させる、情報処理方法が提供される。
【手続補正４】
【補正対象書類名】明細書
【補正対象項目名】０００８
【補正方法】変更
【補正の内容】
【０００８】
本開示によれば、コンピュータに、撮像に関する第１の撮像パラメータを設定するための第１の設定画像と、撮像に関する第２の撮像パラメータを設定するための第２の設定画像と、を表示部に表示させる制御ステップを実行させ、前記第１の撮像パラメータの各パラメータには、予め所定の前記第２の撮像パラメータが対応付けられ、前記制御ステップは、前記第１の設定画像が前記表示部に表示されている際に第１の撮像パラメータが選択されると、前記第２の設定画像を、前記選択された該第１の撮像パラメータに対応する第２の撮像パラメータから変更可能な態様で前記表示部に表示させる、ためのプログラムが提供される。
また、本開示によれば、互いに通信可能な撮像装置および情報処理装置を含み、前記情報処理装置は、前記撮像装置に対して撮像に関する第１の撮像パラメータを設定するための第１の設定画像と、前記撮像装置に対して撮像に関する第２の撮像パラメータを設定するための第２の設定画像と、を表示部に表示させる制御部を備え、前記第１の撮像パラメータの各パラメータには、予め所定の前記第２の撮像パラメータが対応付けられ、前記制御部は、前記第１の設定画像が前記表示部に表示されている際に第１の撮像パラメータが選択されると、前記第２の設定画像を、前記選択された該第１の撮像パラメータに対応する第２の撮像パラメータから変更可能な態様で前記表示部に表示させる、情報処理システムが提供される。